(57)【要約】【課題】テープ状光ファイバを多方向に引き出すことができる光コネクタを提供する。【解決手段】コネクタ本体２と、コネクタ本体２に形成されてテープ状光ファイバ１５１を配置させるガイド溝４とを備え、ガイド溝４は、テープ状光ファイバ１５１の端面を保持する端面保持溝５と、端面保持溝５の一方の側面においてコネクタ本体２の底面側から上面まで基板に対して垂直に形成された垂直ガイド面７と、端面保持溝５の他方の側面においてコネクタ本体２の側面にかけて円弧状に形成された円弧状ガイド面９と、垂直ガイド面７と円弧状ガイド面９との両方に接し、基板に対して垂直に形成されてテープ状光ファイバの幅方向の位置を固定する位置固定面１０とからなり、垂直ガイド面７と円弧状ガイド面９と位置固定面１０とで囲まれた部分は、コネクタ本体２の上面側に対して開口しているものである。【選択図】図１
2010237266.tif 000002
【特許請求の範囲】
【請求項１】
テープ状光ファイバの端面を基板上のアレイ状光素子へ接続させる光コネクタであって、
前記基板に対して水平な底面を有するコネクタ本体と、
前記コネクタ本体に形成されて前記テープ状光ファイバを配置させるガイド溝とを備え、
前記ガイド溝は、前記テープ状光ファイバの端面を前記基板と対向する前記コネクタ本体の前記底面において前記アレイ状光素子に対向させて保持する端面保持溝と、
前記端面保持溝の一方の側面において前記コネクタ本体の底面側から上面まで前記基板に対して垂直に形成された垂直ガイド面と、
前記端面保持溝の前記一方の側面に対向する他方の側面において前記コネクタ本体の側面にかけて円弧状に形成された円弧状ガイド面と、
前記垂直ガイド面と前記円弧状ガイド面との両方に接し、前記基板に対して垂直に形成されて前記テープ状光ファイバの幅方向の位置を固定する位置固定面とからなり、
前記垂直ガイド面と前記円弧状ガイド面と前記位置固定面とで囲まれた部分は、前記コネクタ本体の上面側に対して開口していることを特徴とする光コネクタ。
【請求項２】
前記ガイド溝は、前記円弧状ガイド面が、前記コネクタ本体の前記側面において、前記コネクタ本体の前記上面から前記テープ状光ファイバの厚さ以上低い位置に形成されている請求項１に記載の光コネクタ。
【請求項３】
前記コネクタ本体は、前記ガイド溝が複数形成されている請求項１又は２に記載の光コネクタ。
【請求項４】
前記ガイド溝は、前記コネクタ本体の底面側が前記コネクタ本体と一体形成されて封止されている請求項１〜３のいずれかに記載の光コネクタ。
【請求項５】
前記コネクタ本体は、前記ガイド溝の端面と対向する底面上に一体形成されたレンズを有する請求項１〜４のいずれかに記載の光コネクタ。
【請求項６】
前記コネクタ本体は、前記ガイド溝の端面と対向する底面上に一体形成された透明基板を有する請求項１〜４のいずれかに記載の光コネクタ。
【請求項７】
前記コネクタ本体は、前記テープ状光ファイバを前記基板に対して垂直に配置させる垂直ガイド溝をさらに有する請求項１に記載の光コネクタ。
【発明の詳細な説明】
【技術分野】
【０００１】
本発明は、テープ状光ファイバをアレイ状光素子に光接続するための光コネクタに関するものである。
【背景技術】
【０００２】
機器内あるいは機器間における光伝送技術として、光インターコネクション方式の光伝送が注目されている。このような光インターコネクション方式では、多チャンネルアレイ化の容易なＶＣＳＥＬ（Ｖｅｒｔｉｃａｌ−Ｃａｖｉｔｙ  Ｓｕｒｆａｃｅ−Ｅｍｉｔｔｉｎｇ  Ｌａｓｅｒ）などのアレイ状光素子が一般に用いられている。
【０００３】
アレイ状光素子間の光伝送には、図１６に示すようなテープ状光ファイバ１５１が用いられている。テープ状光ファイバ１５１は、複数本（図１６では４本、つまり４心）の光ファイバ１５０をアレイ状光素子の素子ピッチと同じピッチＰで並列させ、これら光ファイバ１５０を樹脂で一括被覆したものである。
【０００４】
テープ状光ファイバ１５１の端部には、図１７に示すように、テープ状光ファイバ１５１の端面を基板１６０上に実装されたアレイ状光素子１６１の各面発光部（又は面受光部）１６２に光接続するための光コネクタ１６５が設けられる（例えば、特許文献１〜３参照）。
【０００５】
従来技術において、光コネクタ１６５を用いてテープ状光ファイバ１５１を基板１６０上のアレイ状光素子１６１の各面発光部（又は面受光部）１６２に光接続する場合、テープ状光ファイバ１５１は、その端面が基板１６０上に実装されたアレイ状光素子１６１の各面発光（又は面受光部）１６２と対向するようにコネクタ本体１６３に設けられたガイド溝１６４に配置される。
【０００６】
このように、従来の光コネクタ１６５では、コネクタ本体１６３の側面側とコネクタ本体１６３の底面側との間で光路変換させるように、テープ状光ファイバ１５１をコネクタ本体１６３内で曲げてコネクタ本体１６３の１方向（例えば、コネクタ本体１６３の側面側）へ引き出すような構造であった。
【先行技術文献】
【特許文献】
【０００７】
【特許文献１】特開２００７−２５６３７２号公報
【特許文献２】特開２００８−５２０２８号公報
【特許文献３】特開２００６−９１６８４号公報
【特許文献４】特開２００７−２７１９９８号公報
【発明の概要】
【発明が解決しようとする課題】
【０００８】
近年、機器の小型化が求められており、これに伴いテープ状光ファイバの配線を限られた空間内で行わなければならず、テープ状光ファイバを特定の方向、例えば、基板に垂直な方向、或いは基板に平行な方向にしか引き出すことができない場合がある。
【０００９】
しかし、従来の光コネクタでは、テープ状光ファイバの引き出し方向が特定されている（例えば、コネクタ本体１６３の側面側のみ）ため、配線作業が煩雑となってしまう問題や、引き出しが可能な方向に応じて異なる光コネクタを用いなければならないというがあった。
【００１０】
そこで、本発明の目的は、テープ状光ファイバを多方向に引き出すことができる光コネクタを提供することにある。
【課題を解決するための手段】
【００１１】
本発明は上記目的を達成するために創案されたものであり、請求項１の発明は、テープ状光ファイバの端面を基板上のアレイ状光素子へ接続させる光コネクタであって、前記基板に対して水平な底面を有するコネクタ本体と、前記コネクタ本体に形成されて前記テープ状光ファイバを配置させるガイド溝とを備え、前記ガイド溝は、前記テープ状光ファイバの端面を前記基板と対向する前記コネクタ本体の前記底面において前記アレイ状光素子に対向させて保持する端面保持溝と、前記端面保持溝の一方の側面において前記コネクタ本体の底面側から上面まで前記基板に対して垂直に形成された垂直ガイド面と、前記端面保持溝の前記一方の側面に対向する他方の側面において前記コネクタ本体の側面にかけて円弧状に形成された円弧状ガイド面と、前記垂直ガイド面と前記円弧状ガイド面との両方に接し、前記基板に対して垂直に形成されて前記テープ状光ファイバの幅方向の位置を固定する位置固定面とからなり、前記垂直ガイド面と前記円弧状ガイド面と前記位置固定面とで囲まれた部分は、前記コネクタ本体の上面側に対して開口している光コネクタである。
【００１２】
請求項２の発明は、前記ガイド溝は、前記円弧状ガイド面が、前記コネクタ本体の前記側面において、前記コネクタ本体の前記上面から前記テープ状光ファイバの厚さ以上低い位置に形成されている請求項１に記載の光コネクタである。
【００１３】
請求項３の発明は、前記コネクタ本体は、前記ガイド溝が複数形成されている請求項１又は２に記載の光コネクタである。
【００１４】
請求項４の発明は、前記ガイド溝は、前記コネクタ本体の底面側が前記コネクタ本体と一体形成されて封止されている請求項１〜３のいずれかに記載の光コネクタである。
【００１５】
請求項５の発明は、前記コネクタ本体は、前記ガイド溝の端面と対向する底面上に一体形成されたレンズを有する請求項１〜４のいずれかに記載の光コネクタである。
【００１６】
請求項６の発明は、前記コネクタ本体は、前記ガイド溝の端面と対向する底面上に一体形成された透明基板を有する請求項１〜４のいずれかに記載の光コネクタである。
【００１７】
請求項７の発明は、前記コネクタ本体は、前記テープ状光ファイバを前記基板に対して垂直に配置させる垂直ガイド溝をさらに有する請求項１に記載の光コネクタである。
【発明の効果】
【００１８】
本発明によれば、テープ状光ファイバを多方向に引き出すことができる。
【図面の簡単な説明】
【００１９】
【図１】図１（ａ）は、本発明の一実施の形態に係る光コネクタの斜視図であり、図１（ｂ）は、その１Ｂ−１Ｂ線断面図である。
【図２】図２（ａ）は、テープ状光ファイバを図１の光コネクタの側面に引き出すように固定したときの光コネクタの断面図であり、図２（ｂ）は、テープ状光ファイバを図１の光コネクタの上面に引き出すように固定したときの光コネクタの断面図である。
【図３】図３（ａ）〜（ｃ）は、テープ状光ファイバの固定方法を説明する図である。
【図４】図４（ａ）〜（ｃ）は、テープ状光ファイバの他の固定方法を説明する図である。
【図５】図１の光コネクタを透明基板に貼り付けたときの斜視図である。
【図６】図５の透視図である。
【図７】図１の光コネクタを基板に実装したときの斜視図である。
【図８】図７の側面図である。
【図９】図９（ａ），（ｂ）は、図１の光コネクタの変形例を示す図である。
【図１０】図９（ｂ）の光コネクタを基板に実装したときの斜視図である。
【図１１】図１０の側面図である。
【図１２】本発明の一実施の形態に係る光コネクタの斜視図である。
【図１３】図１３（ａ）は、図１２の光コネクタの上面図であり、図１３（ｂ）は、その正面図、図１３（ｃ）は、その１３Ｃ−１３Ｃ線断面図、図１３（ｄ）は、その変形例を示す図である。
【図１４】図１４（ａ），（ｂ）は、図１２の光コネクタの変形例を示す図である。
【図１５】図１５（ａ）は、本発明の一実施の形態に係る光コネクタの断面図であり、図１５（ｂ）は、そのＡ方向から見た光ファイバ位置決め部の平面図である。
【図１６】テープ状光ファイバの断面図である。
【図１７】従来の光コネクタを基板に実装するときの断面図である。
【発明を実施するための形態】
【００２０】
以下、本発明の好適な実施の形態を添付図面にしたがって説明する。
【００２１】
本発明の光コネクタは、テープ状光ファイバの端面を基板上のアレイ状光素子へ接続させるためのものである。
【００２２】
図１（ａ）は、本発明の第１の実施の形態に係る光コネクタの斜視図であり、図１（ｂ）は、その１Ｂ−１Ｂ線断面図である。
【００２３】
図１（ａ），（ｂ）に示すように、光コネクタ１は、樹脂を成形加工して形成されたコネクタ本体２に、１つ又は複数（図１では２つ）のガイド溝４を形成したものである。
【００２４】
コネクタ本体２は、直方体状であり、アレイ状光素子が実装された基板に対して水平な底面を有する。
【００２５】
ガイド溝４は、テープ状光ファイバの端面を基板と対向するコネクタ本体２の底面においてアレイ状光素子に対向させて保持する端面保持溝５と、端面保持溝５の一方の側面（図１（ｂ）では図示左側の面）においてコネクタ本体２の底面側から上面まで基板に対して垂直に形成された垂直ガイド面７と、端面保持溝５の一方の側面に対向する他方の側面（図１（ｂ）では図示右側の面）においてコネクタ本体２の側面にかけて円弧状に形成された円弧状ガイド面９と、垂直ガイド面７と円弧状ガイド面９との両方に接し、基板に対して垂直に形成されてテープ状光ファイバの幅方向の位置を固定する位置固定面１０とからなり、垂直ガイド面７と円弧状ガイド面９と位置固定面１０とで囲まれた部分（空間）１１は、コネクタ本体２の上面側に対して開口している。このように、ガイド溝４は、上方に向かって拡がるような形状となっている。
【００２６】
ガイド溝４は、円弧状ガイド面９が、コネクタ本体２の側面において、コネクタ本体２の上面からテープ状光ファイバの厚さ以上低い位置に形成されているとよい。これは、テープ状光ファイバを円弧状ガイド面９に沿って固定したときに、テープ状光ファイバがコネクタ本体２の上面から突出するのを防ぐためである。
【００２７】
図２（ａ）に示すように、ガイド溝４の円弧状ガイド面９に沿うようにテープ状光ファイバ１５１を設けると、テープ状光ファイバ１５１がコネクタ本体２の側面側に引き出される。
【００２８】
また、図２（ｂ）に示すように、ガイド溝４の垂直ガイド面７に沿うようにテープ状光ファイバ１５１を設けると、テープ状光ファイバ１５１がコネクタ本体２の上面側に引き出される。
【００２９】
さらに、垂直ガイド面７と円弧状ガイド面９と位置固定面１０とで囲まれた空間１１は、コネクタ本体２の上面側に対して開口しているため、円弧状ガイド面９から垂直ガイド面７までの範囲においてテープ状光ファイバ１５１の引き出し方向を自由に変えることができる。
【００３０】
このように、光コネクタ１では、テープ状光ファイバ１５１を多方向に引き出すことができる。
【００３１】
ガイド溝４の空間１１には、テープ状光ファイバ１５１を固定するための接着剤として樹脂１２が充填され、硬化される。樹脂１２としては、例えば、ＵＶ硬化樹脂や熱硬化樹脂を用いるとよい。
【００３２】
一例としてテープ状光ファイバ１５１をコネクタ本体２の側面から引き出す場合のコネクタ本体２とテープ状光ファイバ１５１との固定方法を図３（ａ）〜（ｃ）にしたがって説明する。
【００３３】
まず、図３（ａ）に示すように、テープ状光ファイバ１５１を、ガイド溝４の円弧状ガイド面９に沿うように配置する。このとき、テープ状光ファイバ１５１の先端がコネクタ本体２の下面から突出するようにする。
【００３４】
その後、図３（ｂ）に示すように、ガイド溝４の空間１１に樹脂１２を充填した後硬化させてテープ状光ファイバ１５１を固定する。
【００３５】
樹脂１２の硬化後、図３（ｃ）に示すように、コネクタ本体２の下面から突出したテープ状光ファイバ１５１の先端をカットし、先端を研磨する。
【００３６】
このようにテープ状光ファイバ１５１を接着固定した後、その先端をカットすることで、テープ状光ファイバ１５１の端面を平坦面とすることができ、アレイ状光素子との良好な光接続が実現できる。
【００３７】
コネクタ本体２とテープ状光ファイバ１５１との固定方法はこれに限定されず、例えば、図４（ａ）に示すように、ガラス板など平坦な板４０上にコネクタ本体２を載置し、ガイド溝４に樹脂１２を充填した後、図４（ｂ）に示すように、テープ状光ファイバ１５１をガイド溝４の円弧状ガイド面９に沿うように配置し、樹脂１２を硬化させてテープ状光ファイバ１５１を固定し、図４（ｃ）に示すように、コネクタ本体２を板４０から取り外すようにしてもよい。
【００３８】
テープ状光ファイバ１５１をガイド溝４に配置する際には、テープ状光ファイバ１５１の端面が板４０の表面に接するように配置しても、板４０の表面から所定の距離（例えば、１００μｍ程度）だけ離して配置してもよい。
【００３９】
この図４（ａ）〜（ｃ）の固定方法の場合、テープ状光ファイバ１５１の先端を研磨せずに平坦な端面が得られるため、コネクタ本体２とテープ状光ファイバ１５１とを固定する際の作業が容易となる。樹脂１２としてはテープ状光ファイバ１５１を構成する光ファイバの各コアと同等の屈折率を有する透明な樹脂を用いるとよい。
【００４０】
光コネクタ１を基板に取り付ける際には、例えば、図５、図６に示すような透明基板（セラミック基板）５０に貼り付け、その透明基板５０を基板に取り付ける。
【００４１】
透明基板５０の下面には、透明基板５０をアレイ状光素子が実装された基板に取り付けるための突起５１が複数形成される（例えば、透明基板５０の４隅に１つずつ）。また、透明基板５０の下面には、レンズ（マイクロレンズ）６０が設けられる。
【００４２】
この透明基板５０に光コネクタ１を貼り付ける際には、透明基板５０のレンズ６０の光軸とテープ状光ファイバ１５１の端面の光軸とが一致するように貼り付ける。
【００４３】
ここでは、光コネクタ１を取り付ける基板として、図７、図８に示すＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）用の基板７０を用いる場合を説明するがこれに限定されない。
【００４４】
基板７０の表面には、アレイ状光素子８１やアレイ状光素子８１を駆動するドライバＩＣ７１などが実装され、外部電気機器（外部通信機器）と電気的に接続するための端子７２や、図示しない配線パターンなどが形成されている。
【００４５】
また、基板７０のアレイ状光素子８１の周囲には、光コネクタ１が貼り付けられた透明基板５０を位置決めして固定するための固定用穴（図示せず）が形成される。固定用穴は、透明基板５０をその突起５１を介して基板７０に取り付けたときに、そのレンズ６０の光軸とアレイ状光素子８１の各面発光部（又は面受光部）の光軸とを一致させるような位置に形成される。
【００４６】
この固定用穴に、透明基板５０に形成された突起５１を嵌入させて光コネクタ１を取り付ける。これにより、テープ状光ファイバ１５１の端面の光軸と透明基板５０のレンズ６０の光軸とアレイ状光素子８１の各面発光部（又は面受光部）の光軸とが一致して、テープ状光ファイバ１５１とアレイ状光素子８１とが光接続される。
【００４７】
本発明の第１の実施の形態に係る光コネクタ１の作用を説明する。
【００４８】
本発明の光コネクタ１によれば、アレイ状光素子の各面発光部又は面受光部と対向するようにテープ状光ファイバ１５１の端面を保持するガイド溝を、ガイド溝４としたため、テープ状光ファイバ１５１を多方向に引き出すことができる。つまり、テープ状光ファイバ１５１の引き出し方向をコネクタ本体２の上面側から側面側までの範囲において自由に変えることができる。
【００４９】
よって、引き出し方向に応じて異なる光コネクタを用いる必要がなくなり、配線作業が煩雑となってしまうことを防止できる。
【００５０】
また、ガイド溝４は、上方に向かって拡がるような形状であるので、テープ状光ファイバ１５１をガイド溝４に挿入する際にテープ状光ファイバ１５１の先端を傷つけることはない。
【００５１】
第１の実施の形態においては、光コネクタ１と透明基板５０を別体としたが、光コネクタ１と透明基板５０を一体に形成するようにしてもよい。また、透明基板５０にはレンズ６０が一体に設けられるとしたが、レンズ６０が無くてもよい。
【００５２】
また、第１の実施の形態では、ガイド溝４の底部は貫通されているが、図９（ａ）に示すように、ガイド溝４の底部が、コネクタ本体２の下面と一体に形成された封止部９１で塞がれた光コネクタ９２としてもよい。この場合は、コネクタ本体２を、テープ状光ファイバ１５１が伝送する光に対して透明な部材で構成する必要がある。
【００５３】
さらに、図９（ｂ）に示すように、封止部９１の下部に、レンズ６０を一体に設けた光コネクタ９３としてもよい。この場合は、コネクタ本体２の下面に複数（図９（ｂ）では４つ）の脚９４を形成し、図１０、図１１に示すように、透明基板５０を用いずにコネクタ本体２をそのまま基板７０に取り付けることも可能である。よって、透明基板５０が不要となるため、部品点数を減らすことができる。
【００５４】
図９（ａ），（ｂ）の光コネクタ９２，９３を用いてテープ状光ファイバ１５１を固定する際は、底部が塞がれたガイド溝４に樹脂１２を充填した後、テープ状光ファイバ１５１をガイド溝４に挿入し、樹脂１２を硬化させて固定するとよい。これにより、図４（ａ）〜（ｃ）で説明した固定方法のように平坦な板４０を用いることなく、テープ状光ファイバ１５１の端面を平坦にすることができる。
【００５５】
ここでは、封止部９１の下部にレンズ６０を一体に設けるとしたが、レンズ６０のみでガイド溝４の底部が塞がれるようにしてもよい。
【００５６】
次に、第２の実施の形態を説明する。
【００５７】
図１２、図１３（ａ）〜（ｄ）に示す光コネクタ１２０は、図１の光コネクタ１において、ガイド溝４に加えて垂直ガイド溝１３１を形成したものである。
【００５８】
より具体的には、図１３（ｃ）に示すように、コネクタ本体２に、テープ状光ファイバ１５１を垂直にガイドする垂直ガイド溝１３１とガイド溝４が、テープ状光ファイバ１５１の長手方向に沿って複数（図１３では各１つずつ×２列）形成されたものである。
【００５９】
この光コネクタ１２０によれば、ガイド溝４に接続されたテープ状光ファイバ１５１の引き出し方向をコネクタ本体２の上面側から側面側までの範囲において自由に変えることができると同時に、垂直ガイド溝１３１に配置されたテープ状光ファイバ１５１をコネクタ本体２の上面側へ引き出すことができる。これにより、限られた空間内において多数のテープ状光ファイバ１５１を引き出し方向を変えて配線できる。また、最大で４本（送受信用に２組）のテープ状光ファイバ１５１を接続することができ、配線の高密度化・大容量化が図れる。
【００６０】
光コネクタ１２０では、コネクタ本体２の上面側には最大４本、側面側に最大２本のテープ状光ファイバ１５１を引き出すことができ、用途に応じて使い分けが可能である。
【００６１】
第２の実施の形態では、垂直ガイド溝１３１とガイド溝４が長手方向に沿って形成されるものとしたが、図１３（ｄ）に示すように、垂直ガイド溝１３１に変えてガイド溝４を形成してもよい。この場合、図示左のガイド溝４の円弧状ガイド面９と図示右のガイド溝４の垂直ガイド面７が交差するように形成される。
【００６２】
ガイド溝４が長手方向に沿って複数形成されることで、複数のテープ状光ファイバ１５１をそれぞれ同じ方向、あるいは別々の方向へ引き出すことができる。
【００６３】
さらに、第１の実施の形態と同様に、図１４（ａ）に示すように、垂直ガイド溝１３１及びガイド溝４の底部が、コネクタ本体２の下面と一体に形成された封止部９１で塞がれていてもよく、図１４（ｂ）に示すように、封止部９１の下部に、レンズ６０を一体に設けてもよい。
【００６４】
このように、光コネクタ１２０では、第２の実施の形態で得られる作用効果に加え、第１の実施の形態と同様の作用効果も得られる。
【００６５】
本発明の他の実施形態を説明する。
【００６６】
図１５（ａ）に示す光コネクタ１００は、図１（ａ），（ｂ）の光コネクタ１において、そのガイド溝４の先端部（底部）に、テープ状光ファイバ１５１の先端部の被覆を除去して突出させた光ファイバ１５２を保持して固定するための光ファイバ位置決め部１０１を形成したものである。
【００６７】
一般に、テープ状光ファイバ１５１では、光ファイバ１５２の外径は精度よく形成することができるものの、被覆を精度よく形成することは困難である。
【００６８】
よって、アレイ状光素子の光軸と光ファイバ１５２の光軸とを高精度で一致させることが要求される場合などは、テープ状光ファイバ１５１の先端部の被覆を除去して光ファイバ１５２を突出させ、その突出させた光ファイバ１５２を光ファイバ位置決め部１０１で位置決めすることが望ましい。
【００６９】
図１５（ｂ）に示すように、例えば、テープ状光ファイバ１５１が４心であり、光ファイバ１５２の外径が２５０μｍである場合は、光ファイバ位置決め部１０１の幅は１ｍｍ、高さは２５０μｍとなるように形成すればよい。これにより、４本の光ファイバ１５２を入出射端において密接させて配置させることが可能となり、位置決め精度を向上させることができる。
【００７０】
以上、本発明は上記実施の形態に限定されるものではなく、本発明の要旨を逸脱しない範囲での種々の変更が可能である。
【符号の説明】
【００７１】
１  光コネクタ
２  コネクタ本体
４  ガイド溝
５  端面保持溝
７  垂直ガイド面
９  円弧状ガイド面
１０  位置固定面
１５１  テープ状光ファイバ
【図１】
2010237266.tif 000003
【図２】
2010237266.tif 000004
【図３】
2010237266.tif 000005
【図４】
2010237266.tif 000006
【図５】
2010237266.tif 000007
【図６】
2010237266.tif 000008
【図７】
2010237266.tif 000009
【図８】
2010237266.tif 000010
【図９】
2010237266.tif 000011
【図１０】
2010237266.tif 000012
【図１１】
2010237266.tif 000013
【図１２】
2010237266.tif 000014
【図１３】
2010237266.tif 000015
【図１４】
2010237266.tif 000016
【図１５】
2010237266.tif 000017
【図１６】
2010237266.tif 000018
【図１７】
2010237266.tif 000019